(57)【要約】【課題】複数のコネクタに対して着脱され、筐体から脱落することを防止するとともに部品点数および作業工数の削減を図り、かつユーザーの利便性を図る。【解決手段】キャップ装置１００は、筐体４１０の第１のコネクタに着脱自在な第１のコネクタキャップ１１０と、筐体４１０の第２のコネクタに着脱自在な第２のコネクタキャップ１２０と、第１のコネクタキャップ１１０と第２のコネクタキャップ１２０とを連結する連結部１３０と、筐体４１０に固定され、第１のコネクタキャップ１１０を支持する固定部とを備え、第１のコネクタキャップ１１０は、第２のコネクタキャップ１２０に対する近位部で固定部に接続され、第２のコネクタキャップ１２０に対する遠位部で連結部１３０に接続されている。【選択図】図１
2018078074.tif 000002
【特許請求の範囲】
【請求項１】
電子機器の筐体に備えられたコネクタに取り付けられるキャップ装置であって、
前記筐体の第１のコネクタに着脱自在な第１のコネクタキャップと、
前記筐体の第２のコネクタに着脱自在な第２のコネクタキャップと、
前記第１のコネクタキャップと前記第２のコネクタキャップとを連結する連結部と、
前記筐体に固定され、前記第１のコネクタキャップを支持する固定部とを備え、
前記第１のコネクタキャップは、前記第２のコネクタキャップに対する近位部で前記固定部に接続され、前記第２のコネクタキャップに対する遠位部で前記連結部に接続されている、
キャップ装置。
【請求項２】
前記第１のコネクタキャップは、
前記固定部が裏面に設けられた板状のベース部材と、
前記ベース部材の前記裏面に設けられ前記第１のコネクタを封止する封止部と、
前記ベース部材の表面に設けられ前記第２のコネクタキャップが着脱自在に取り付けられる取付部とを有する、
請求項１に記載のキャップ装置。
【請求項３】
前記第２のコネクタキャップは、ベース部材と、前記ベース部材に設けられ前記第２のコネクタを封止する封止部とを備え、
前記第１のコネクタキャップの前記取付部は、前記第２のコネクタキャップの前記封止部を着脱可能である、
請求項２に記載のキャップ装置。
【請求項４】
前記連結部の一端は、前記第１のコネクタキャップの前記ベース部材の側面に連続し、
前記連結部の他端は、前記第２のコネクタキャップの前記ベース部材の側面に連続し、
前記連結部における前記一端と他端との間に屈曲部を有している、
請求項３に記載のキャップ装置。
【請求項５】
電子機器の筐体に備えられた複数のコネクタに対して着脱されるコネクタキャップの取付構造であって、
前記筐体の第１のコネクタに着脱自在な第１のコネクタキャップと、
前記筐体の第２のコネクタに着脱自在な第２のコネクタキャップと、
前記第１のコネクタと前記第２のコネクタとの間の前記筐体の部分に固定され、前記第１のコネクタキャップを支持する固定部と、
前記固定部を迂回して延在し、前記第１のコネクタキャップと前記第２のコネクタキャップとを連結する連結部とを備える、
コネクタキャップの取付構造。
【請求項６】
前記筐体は、前記第１のコネクタが配置される第１の開口と、前記第２のコネクタが配置される第２の開口と、前記第１の開口と前記第２の開口の間の位置に設けられ、前記固定部を取り付ける取付穴と、を備える、
請求項５に記載のコネクタキャップの取付構造。
【請求項７】
前記第１の開口と前記第２の開口は、同一面上に配置されている、
請求項６に記載のコネクタキャップの取付構造。
【請求項８】
請求項１〜４のいずれか一項に記載のキャップ装置または請求項５〜７のいずれか一項に記載のコネクタキャップの取付構造を有する電子機器。
【発明の詳細な説明】
【技術分野】
【０００１】
本発明は、キャップ装置、コネクタキャップの取付構造および電子機器に関する。
【背景技術】
【０００２】
従来より、各種の電子機器には、アナログ信号の入出力端子、ＵＳＢなどのデジタル信号用のコネクタ、光ケーブル端子、充電用のコネクタなど、種々のコネクタが備えられている。これら電子機器のコネクタは、上述した各種の端子が筐体の開口から外方を臨むように備えられ、対応する端子が当該筐体の開口を通じて着脱される構成のものが多い。
【０００３】
このような構成では、筐体の開口から水分や粉塵等が侵入すると機器の故障の原因となり得ることから、当該機器あるいはコネクタの不使用時に、樹脂等からなるコネクタキャップを装着する場合がある。また、コネクタキャップの脱落や紛失等の防止のため、筐体にキャップ取付穴を設け、かかるキャップ取付穴にコネクタキャップの端部を嵌め込む構造のものが知られている（例えば特許文献１参照）。
【先行技術文献】
【特許文献】
【０００４】
【特許文献１】特開平１０−３３４９８１号公報
【発明の概要】
【発明が解決しようとする課題】
【０００５】
ところで、筐体に複数のコネクタが設けられている機器において、特許文献１に記載のようなコネクタキャップの構造を個々のコネクタ毎に採用すると、部品点数の増加を招く他、以下のような種々の問題が生じる。すなわち、各コネクタキャップを筐体の対応するキャップ取付穴に取り付ける必要があることから、組み立て時の作業工数が増加し、コスト高になる。また、個々のコネクタキャップの面積を比較的広く確保する必要があり、かつ筐体のキャップ取付穴をコネクタキャップ毎に設ける必要があることから、各コネクタの配置の自由度が制限される。このため、例えばユーザーの利便性を考慮して２つのコネクタを相互に近接して配置することが困難になる等の問題が生じる。
【０００６】
本発明の目的は、複数のコネクタに対して着脱され、筐体から脱落することを防止するとともに、部品点数および作業工数の削減を図り、かつユーザーの利便性が図られたキャップ装置、コネクタキャップの取付構造および電子機器を提供することである。
【課題を解決するための手段】
【０００７】
本発明に係るキャップ装置は、
電子機器の筐体に備えられたコネクタに取り付けられるキャップ装置であって、
前記筐体の第１のコネクタに着脱自在な第１のコネクタキャップと、
前記筐体の第２のコネクタに着脱自在な第２のコネクタキャップと、
前記第１のコネクタキャップと前記第２のコネクタキャップとを連結する連結部と、
前記筐体に固定され、前記第１のコネクタキャップを支持する固定部とを備え、
前記第１のコネクタキャップは、前記第２のコネクタキャップに対する近位部で前記固定部に接続され、前記第２のコネクタキャップに対する遠位部で前記連結部に接続されている。
【０００８】
本発明に係るコネクタキャップの取付構造は、
電子機器の筐体に備えられた複数のコネクタに対して着脱されるコネクタキャップの取付構造であって、
前記筐体の第１のコネクタに着脱自在な第１のコネクタキャップと、
前記筐体の第２のコネクタに着脱自在な第２のコネクタキャップと、
前記第１のコネクタと前記第２のコネクタとの間の前記筐体の部分に固定され、前記第１のコネクタキャップを支持する固定部と、
前記固定部を迂回して延在し、前記第１のコネクタキャップと前記第２のコネクタキャップとを連結する連結部とを備える。
【０００９】
本発明に係る電子機器は、上述したキャップ装置またはコネクタキャップの取付構造を有する。
【発明の効果】
【００１０】
本発明によれば、複数のコネクタに対して着脱され、筐体から脱落することを防止するとともに部品点数および作業工数の削減を図り、かつユーザーの利便性が図られる。
【図面の簡単な説明】
【００１１】
【図１】実施の形態に係るキャップ装置の各コネクタキャップが取り付けられた状態を示す電子機器の斜視図である。
【図２】実施の形態に係るキャップ装置を示す斜視図であり、図２Ａは上側（表側）からの外観を、図２Ｂは下側（裏側）から見た外観を各々示す。
【図３】第１のコネクタキャップを変形させて第１のコネクタを露呈させた状態を示す要部外観図であり、図３Ａは図１における右側から見た場合を、図３Ｂは図１に対応して示す図である。
【図４】第２のコネクタキャップを外して第１のコネクタキャップに取り付けた状態を示す要部外観図である。
【発明を実施するための形態】
【００１２】
以下、本発明の実施の形態について、図面を参照して詳細に説明する。
【００１３】
図１は、本発明の実施の形態に係るキャップ装置１００が取り付けられた電子機器４００の外観斜視図である。図２は、キャップ装置１００のみを抽出して示す図である。図３は、電子機器４００の第１のコネクタが露呈した状態を、図４は、電子機器４００の第２のコネクタが露呈した状態を、それぞれ示す。
【００１４】
図１に示す電子機器４００は、睡眠時無呼吸症候群（ＳＡＳ：Sleep Apnea Syndrome）などの睡眠障害を有する患者が携帯し、かかる患者の生体情報を記録する携帯型医療機器であり、患者の睡眠に関する情報を記録し評価するための睡眠評価装置である。
【００１５】
本実施の形態の電子機器４００は、外形を略直方体とした筐体４１０を有し、かかる筐体４１０に生体情報を取得するための各種のセンサが接続される。また、電子機器４００は、筐体４１０内に図示しない加速度センサや圧力センサが設けられ、これらのセンサを通じて日常生活における患者の生体情報を取得する。
【００１６】
電子機器４００は、筐体４１０内に、取得した生体情報をデジタル化するためのＡ／Ｄ変換器およびデジタル化された生体情報を記録するための記録媒体（メモリカードなど）を備える。また、電子機器４００は、かかる記録媒体で記録した生体情報を外部機器（ＰＣなど）に出力するために、デジタル出力端子としてのＵＳＢコネクタ（第１のコネクタ）３１０を備えている（図３参照）。また、電子機器４００は、生体情報の記録開始用のスイッチ４０２、装置の状態等を表示する表示部４０３などを備えている（図１参照）。
【００１７】
電子機器４００で取得および記録される生体情報には、睡眠中の鼻呼吸、気道音、マスク圧等の呼吸情報、胸骨上窩（喉仏の下の窪み）の動きによる努力呼吸の情報、体位、体動情報、ＳｐＯ２（経皮的動脈血酸素飽和度）等が含まれる。
【００１８】
このため、電子機器４００は、上記の呼吸情報を取得するために、図示しないカニューレ（患者に装着される鼻カニューレなど）の一端部が着脱されるカニューレコネクタ４２０を有する。カニューレコネクタ４２０は、筐体４１０内の圧力センサと接続され、図１に示すように、筐体４１０の一の側面から筒状に突起するように設けられている。
【００１９】
また、電子機器４００は、努力呼吸の情報を取得するために、患者に取り付けられる睡眠評価用センサの信号端子が接続される、アナログ信号コネクタ（第２のコネクタ）３２０を備えている（図４参照）。本実施の形態では、ベルト状の睡眠評価用センサが胸囲に巻き付けられ、努力呼吸時の胸の動きに伴うインピーダンスの変化を、睡眠評価用センサを通じて呼吸努力検出信号として検出するようになっている。
【００２０】
また、電子機器４００は、上述した加速度センサを通じて患者の体位および体動情報を取得する。さらに、電子機器４００は、ＳｐＯ２（経皮的動脈血酸素飽和度）の情報を取得するために、患者の指などに取り付けられる酸素飽和度センサの信号端子が接続されるための、ＳｐＯ２センサ用コネクタ４３０を備えている。
【００２１】
電子機器４００では、上述した４つのコネクタ３１０，３２０，４２０および４３０の内、ＵＳＢコネクタ３１０、アナログ信号コネクタ３２０およびＳｐＯ２センサ用コネクタ４３０の３つのコネクタは、同一面となる筐体４１０の側面４１２（図１等における上面）から各々の開口を通じて外方を臨む。
【００２２】
ここで、ＵＳＢコネクタ３１０およびアナログ信号コネクタ３２０は、互いに近い位置に設けられている。また、データ出力側であるＵＳＢコネクタ３１０と、信号入力側であるアナログ信号コネクタ３２０とは、装置の性質上、選択的に使用される場合が多い。
【００２３】
また、本実施の形態の電子機器４００は、図示しないバンド等を用いて患者の腕などに装着され、上述のように各種の部材が取り付けられた状態で使用される。
【００２４】
このような実情等を考慮し、本実施の形態では、ＵＳＢコネクタ３１０及びアナログ信号コネクタ３２０に対して、第１のコネクタキャップ１１０及び第２のコネクタキャップ１２０を有する一体化されたキャップ装置１００を設ける構成としている。以下、主に図２を参照して、本実施の形態に係るキャップ装置１００の構成について説明する。
【００２５】
本実施の形態のキャップ装置１００は、筐体４１０の第１のコネクタとしてのＵＳＢコネクタ３１０に着脱自在な第１のコネクタキャップ１１０と、第２のコネクタとしてのアナログ信号コネクタ３２０に着脱自在な第２のコネクタキャップ１２０とを備える。また、キャップ装置１００は、第１のコネクタキャップ１１０と第２のコネクタキャップ１２０とを連結する連結部１３０と、筐体４１０に固定され、第１のコネクタキャップ１１０を支持する固定部１１２を備える。そして、キャップ装置１００において、第１のコネクタキャップ１１０は、第２のコネクタキャップ１２０に対する近位部で固定部１１２に接続され、第２のコネクタキャップ１２０に対する遠位部で連結部１３０に接続されている。
【００２６】
キャップ装置１００は、第１のコネクタキャップ１１０と、第２のコネクタキャップ１２０と、連結部１３０と、固定部１１２と、を一体に備える。キャップ装置１００は、可撓性を有する素材からなり、本実施の形態では、シリコンゴムにより成型された弾性体である。
【００２７】
キャップ装置１００は、第１のコネクタキャップ１１０の一端側が筐体４１０に固定されており、第１のコネクタキャップ１１０が電子機器４００から脱落しないようになっている。また、第２のコネクタキャップ１２０は、バンド状またはストラップ状の連結部１３０を通じて第１のコネクタキャップ１１０に連結されており、連結部１３０の長さの範囲内で、第１のコネクタキャップ１１０の離接方向に移動可能となっている。
【００２８】
第１のコネクタキャップ１１０は、ＵＳＢコネクタ３１０に着脱されることで、ＵＳＢコネクタ３１０を封止および開放する役割を担う。具体的には、第１のコネクタキャップ１１０は、平面略矩形の板状のベース部材１１１を有し、かかるベース部材１１１の裏面側に、筐体４１０に取り付けられて固定される固定部１１２と、ＵＳＢコネクタ３１０を封止する封止部１１３とを備えている（図２Ｂ参照）。また、図３Ａに示すように、第１のコネクタキャップ１１０の開閉側となるベース部材１１１の裏面の端部には、第１のコネクタキャップ１１０と筐体４１０の側面４１２との間に指先等を入れやすくするためのテーパー部１１１ａが設けられている。
【００２９】
他方、図２Ａに示すように、第１のコネクタキャップ１１０のベース部材１１１の表面側には、第２のコネクタキャップ１２０を着脱自在に取り付けるための取付部１１４が設けられている。
【００３０】
第１のコネクタキャップ１１０の固定部１１２は、第２のコネクタキャップ１２０から比較的近い位置（すなわちコネクタキャップ１２０に対する近位部）で、ベース部材１１１の裏面と一体に接続されており、図２Ｂに示すように、側面視でＴ字状の外形を有する。より具体的には、固定部１１２は、筐体４１０の側面４１２の厚みに対応した高さを有し、かつ、筐体４１０から外れないようにするために、先端がフランジ状に広げられた形状となっている。
【００３１】
封止部１１３は、ベース部材１１１の裏面に、固定部１１２に隣接して設けられている。封止部１１３は、ベース部材１１１の裏面から略台形ないし多角形状に突起した外形を有する。この例では、封止部１１３には、ＵＳＢコネクタ３１０を封止する際に変形及び密着しやすくするため、封止部１１３の外縁形状に相似した形状の穴部１１３ａが設けられている。
【００３２】
取付部１１４は、アナログ信号コネクタ３２０および後述する第２のコネクタキャップ１２０の封止部１２２に対応した平面形状を有する溝ないし穴である。本実施の形態では、取付部１１４は、ベース部材１１１の表面から凹陥するように形成された平面略円形の穴である。
【００３３】
第２のコネクタキャップ１２０は、アナログ信号コネクタ３２０に着脱されることで、アナログ信号コネクタ３２０を封止および開放する役割を担う。具体的には、第２のコネクタキャップ１２０は、平面略円形のベース部材１２１の裏面側に、アナログ信号コネクタ３２０を封止する封止部１２２が設けられた構成となっている。また、ベース部材１２１の側面からは、連結部１３０の他方の端部が連続するように形成されている。
【００３４】
第２のコネクタキャップ１２０の封止部１２２は、ベース部材１２１の裏面から略円形（リング状）に突起した外形を有する。この例では、封止部１２２は、アナログ信号コネクタ３２０を封止する際に変形及び密着しやすくするため、封止部１２２の外縁形状に相似した平面円形の穴部１２２ａが設けられている。
【００３５】
連結部１３０は、第１のコネクタキャップ１１０と第２のコネクタキャップ１２０とを相対移動可能に接続する機能を有する。また、連結部１３０は、第２のコネクタキャップ１２０を第１のコネクタキャップ１１０に対して連結させることで、第２のコネクタキャップ１２０の脱落、紛失を防止する役割を担う。
【００３６】
上述のように、連結部１３０の一端は、第１のコネクタキャップ１１０のベース部材１１１の側面に連続し、連結部１３０の他端は、第２のコネクタキャップ１２０のベース部材１２１の側面に連続する。本実施の形態では、連結部１３０は、第１のコネクタキャップ１１０を支持する固定部１１２を迂回するよう延在する。また、本実施の形態では、図２Ａに示すように、第１のコネクタキャップ１１０のベース部材１１１における第２のコネクタキャップ１２０から比較的離れた位置（すなわちコネクタキャップ１２０に対する遠位部）で、連結部１３０の一端が接続されている。かかる構成とすることにより、第１のコネクタキャップ１１０および第２のコネクタキャップ１２０の内いずれか一方を外すことも両方を外すことも自由自在となる。また、かかる構成とすることにより、第１のコネクタキャップ１１０のベース部材１１１を変形させる場合や第２のコネクタキャップ１２０を第１のコネクタキャップ１１０に着脱させる場合に、連結部１３０に発生する応力が可及的に小さくなる。
【００３７】
また、連結部１３０は、ケーブルなどの他の部材との干渉を可及的に回避するため、図２Ａに示すように、第１のコネクタキャップ１１０のベース部材１１１の側面に沿って延び、かつ、必要以上に延びない適度な長さを有している。また、連結部１３０は、第２のコネクタキャップ１２０に接続されるまでの中間の部位に、第２のコネクタキャップ１２０側に向かうように曲がった屈曲部１３０ａを有している。かかる屈曲部１３０ａは、第２のコネクタキャップ１２０の封止部１２２が第１のコネクタキャップ１１０の取付部１１４に装着される際に、変形した連結部１３０に生じる応力を可及的に減らして第２のコネクタキャップ１２０を外れにくくする役割を有する（図４参照）。
【００３８】
本実施の形態の電子機器４００は、筐体４１０の側面４１２におけるＵＳＢコネクタ３１０とアナログ信号コネクタ３２０との間の位置に、第１のコネクタキャップ１１０の固定部１１２を取り付けるためのキャップ取付穴４１２ａが形成されている（図３Ａ参照）。かかるキャップ取付穴４１２ａは、固定部１１２の形状に対応した平面略四角形の細長い開口形状を有する。
【００３９】
電子機器４００は、筐体４１０の側板４１１が筐体４１０の本体側に対して複数のねじ（図示略）を用いて固定され、当該ねじを緩めることで側板４１１と本体側とが分離可能な構成となっている。このため、キャップ装置１００は、筐体４１０の組み立ての際に、第１のコネクタキャップ１１０の固定部１１２が筐体４１０のキャップ取付穴４１２ａに挿入され、この後に側板４１１が筐体４１０の本体側に固定されることで、筐体４１０に対して容易に取り付けることができる。
【００４０】
このようにして筐体４１０に取り付けられたキャップ装置１００は、ＵＳＢコネクタ３１０及びアナログ信号コネクタ３２０のいずれをも使用しない場合には、各コネクタキャップ１１０及び１２０を対応するコネクタ３１０及び３２０に被せて、これらコネクタを封止する（図１参照）。
【００４１】
より具体的には、ＵＳＢコネクタ３１０は、図３に示すように、筐体４１０の側面４１２における平面略多角形状の開口４１２ｂの下方に配置されている。このため、第１のコネクタキャップ１１０は、ベース部材１１１の裏面に設けられた封止部１１３の外周が開口４１２ｂに嵌めこまれるように上方から押圧されることで、かかる封止部１１３が開口４１２ｂを塞ぎ、この結果、ＵＳＢコネクタ３１０が封止される。
【００４２】
他方、アナログ信号コネクタ３２０は、図４に示すように、筐体４１０の側面４１２における平面略円形の開口４１２ｃの内側に、かかるコネクタ３２０の挿入口が開口４１２ｃと略面一に配置されている。このため、第２のコネクタキャップ１２０は、ベース部材１２１の裏面に設けられた封止部１２２の外周がアナログ信号コネクタ３２０に直接嵌めこまれるように上方から押圧されることで、かかる封止部１２２がアナログ信号コネクタ３２０の挿入口を塞ぎ、かかるコネクタ３２０を封止する（図１参照）。
【００４３】
本実施の形態の電子機器４００は、図１に示す状態から、第１のコネクタキャップ１１０および第２のコネクタキャップ１２０のうち、いずれか一方を外して一方のコネクタだけ使用することができ、あるいは一度に両方を外して両方のコネクタ３１０，３２０を使用することもできる。
【００４４】
具体的には、図１に示す状態からＵＳＢコネクタ３１０だけ使用する場合、上述したテーパー部１１１ａに指先等が入れられて、第１のコネクタキャップ１１０の固定部１１２を有する側とは反対側の端部が上方に持ち上げられる。かかる動作により、第１のコネクタキャップ１１０は、固定部１１２により筐体４１０に支持されながら第１のコネクタであるＵＳＢコネクタ３１０を開放するように弾性変形する。具体的には、第１のコネクタキャップ１１０のベース部材１１１が固定部１１２の部位で屈曲するように変形することで、封止部１１３が開口４１２ｂから離脱し、図３Ａ及び図３Ｂに示すように、開口４１２ｂ及びＵＳＢコネクタ３１０の挿入口が外方に露呈される。
【００４５】
この状態から、ＵＳＢコネクタ３１０の挿入口にＵＳＢコネクタの他方の端子（図示略）が挿入されることで、第２のコネクタキャップ１２０をアナログ信号コネクタ３２０に被せたまま、ＵＳＢコネクタ３１０を通じて生体情報を出力することができる。
【００４６】
他方、図１に示す状態からアナログ信号コネクタ３２０だけ使用する場合、第２のコネクタキャップ１２０が上方に持ち上げられることにより、アナログ信号コネクタ３２０の挿入口が露呈される（図４参照）。この状態から、アナログ信号コネクタ３２０の挿入口に睡眠評価用センサの信号端子（図示略）が挿入されることで、第１のコネクタキャップ１１０をＵＳＢコネクタ３１０に装着したまま、アナログ信号コネクタ３２０の配線（すなわち睡眠評価用センサの接続）を行うことができる。
【００４７】
また、キャップ装置１００は、睡眠評価用センサの接続時において、第２のコネクタキャップ１２０の封止部１２２が第１のコネクタキャップ１１０の取付部１１４に嵌めこまれることにより、第２のコネクタキャップ１２０を第１のコネクタキャップ１１０に装着することができる（図４参照）。
【００４８】
本実施の形態のキャップ装置１００では、第２のコネクタキャップ１２０が第１のコネクタキャップ１１０に装着されることにより、第２のコネクタキャップ１２０及び連結部１３０がブラブラして他の部材と干渉する問題が効果的に防止される。
【００４９】
特に、本実施の形態の電子機器４００は、ユーザーの腕に装着され種々のセンサが取り付けられた状態で使用されることから、第２のコネクタキャップ１２０を第１のコネクタキャップ１１０に装着することで、かかるコネクタキャップ１２０や連結部１３０が各コネクタに繋がるケーブルなどの他の部材に絡まるといった不具合を防止できる。
【００５０】
加えて、図４に示すように、第２のコネクタキャップ１２０が第１のコネクタキャップ１１０に装着された状態において、連結部１３０は、第１のコネクタキャップ１１０のベース部材１１１の外形（側面）に沿うように変形しており、ベース部材１１１との間の隙間が殆ど生じない。したがって、ベース部材１１１と連結部１３０との隙間に他の部材が挟まる等の不具合をも防止することができる。
【００５１】
上述のように、本実施の形態のキャップ装置１００では、第１のコネクタキャップ１１０は、第２のコネクタキャップ１２０に対する近位部で固定部１１２に接続され、第２のコネクタキャップ１２０に対する遠位部で連結部１３０に接続されている。また、キャップ装置１００の連結部１３０は、固定部１１２を迂回して延在し、第１のコネクタキャップ１１０と第２のコネクタキャップ１２０とを連結する。かかる構成により、第２のコネクタキャップ１２０の支点（具体的には第１のコネクタキャップ１１０と連結部１３０とが接続する位置）を、第１のコネクタキャップ１１０の長さを利用してアナログ信号コネクタ３２０の位置から離間させることができる。そのため、第２のコネクタキャップ１２０の支点がアナログ信号コネクタ３２０とＵＳＢコネクタ３１０との間に位置する場合に比べて、アナログ信号コネクタ３２０をＵＳＢコネクタ３１０に近接配置することができ、電子機器４００を小型化することができる。また、アナログ信号コネクタ３２０とＵＳＢコネクタ３１０との近接配置により両者の間隔が詰められても、連結部１３０の長さは十分に確保されるため、第２のコネクタキャップ１２０の着脱の操作性は損なわれない。しかも、ＵＳＢコネクタ３１０の位置は、第１のコネクタキャップ１１０の支点（具体的には固定部１１２の位置）に対してアナログ信号コネクタ３２０の反対側に位置する。よって、第１のコネクタキャップ１１０の着脱を操作する際、第２のコネクタキャップ１２０が邪魔にならず容易に第１のコネクタキャップ１１０へアクセスすることができる。したがって、２つのコネクタキャップ１１０，１２０の内いずれか一方を外すことも両方を外すことも自由自在となる。
【００５２】
以上、詳細に説明したように、本実施の形態によれば、複数のコネクタに対して着脱され、筐体から脱落することを防止するとともに部品点数および作業工数の削減を図り、かつ例えば上述した操作性の観点からユーザーの利便性が図られたキャップ装置、コネクタキャップの取付構造および電子機器を提供することができる。
【００５３】
上述の実施の形態では、キャップ装置１００が取り付けられる電子機器４００として、携帯型医療機器（睡眠評価装置）を例示したが、上述したキャップ装置１００は、様々な種類の電子機器に取り付けることができる。
【００５４】
また、上述した実施の形態では、第１のコネクタキャップ１１０をデジタル（ＵＳＢ）出力コネクタに対して着脱し、第２のコネクタキャップ１２０をアナログ入力コネクタに対して着脱する構成を例示したが、各コネクタキャップ１１０，１２０が着脱されるコネクタはこれに限定されない。すなわち、各コネクタキャップ１１０，１２０は、他の様々な種類のコネクタに対して着脱するように変形することが可能である。
【００５５】
また、上述した実施の形態では、取付部１１４は、ベース部材１１１の表面から凹陥する穴形状の構成とした。他の例として、取付部１１４は、ベース部材１１１の表面から突起する突起形状として、第２のコネクタキャップ１２０の封止部１２２の穴部１２２ａを取り付ける構成とすることもできる。なお、取付部１１４の形状は、溝あるいは穴に限定されるものではなく、第２のコネクタキャップ１２０を取り付けることが可能な形状であればよい。また、第２のコネクタキャップ１２０を取付部１１４に取り付ける方式に関しても、嵌合あるいは係合に限定されるものではなく、例えば磁石や磁性体をそれぞれに埋設し磁気吸引力を利用して第２のコネクタキャップ１２０を取付部１１４に吸着させるなど、異なる方式を採用してもよい。
【００５６】
また、上述した実施の形態では、キャップ装置１００として、第１のコネクタキャップ１１０、第２のコネクタキャップ１２０、連結部１３０、および固定部１１２が同一の材質により一体に形成された構成を例示した。他の例として、キャップ装置１００のこれら各部が異なる材質により構成されてもよい。
【００５７】
上述した実施の形態および変形例は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００５８】
１００  キャップ装置
１１０  第１のコネクタキャップ
１１１  ベース部材
１１２  固定部
１１３  封止部
１１４  取付部
１２０  第２のコネクタキャップ
１２１  ベース部材
１２２  封止部
１３０  連結部
１３０ａ  屈曲部
４００  電子機器
４１０  筐体
４１２  側面
４１２ａ  キャップ取付穴（取付穴）
４１２ｂ  開口（第１の開口）
４１２ｃ  開口（第２の開口）
３１０  ＵＳＢコネクタ（第１のコネクタ）
３２０  アナログ信号コネクタ（第２のコネクタ）
【図１】
2018078074.tif 000003
【図２】
2018078074.tif 000004
【図３】
2018078074.tif 000005
【図４】
2018078074.tif 000006